【手続補正書】
【提出日】平成18年2月13日(2006.2.13)
【手続補正１】
【補正対象書類名】明細書
【補正対象項目名】特許請求の範囲
【補正方法】変更
【補正の内容】
【特許請求の範囲】
【請求項１】  複数のＩＰ電話装置と、前記ＩＰ電話装置を管理するとともに前記ＩＰ電話装置において用いるソフトウェアデータを管理するサーバ装置とを具備し、前記ＩＰ電話装置は、前記ＩＰ電話装置を識別するための識別情報及び前記ＩＰ電話装置に搭載のソフトウェアデータに関するソフトウェア情報を前記サーバ装置へ送信する送信手段と、前記サーバ装置が前記ソフトウェアデータの書き換えが必要と判断した時に送信する最適ソフトウェアデータを受信する受信手段と、前記ソフトウェアデータを前記最適ソフトウェアデータに書き換える書き換え手段と、を具備することを特徴とするＩＰ電話システム。
【請求項２】  複数のＩＰ電話装置と、前記ＩＰ電話装置を管理するサーバ装置と、前記ＩＰ電話装置において用いるソフトウェアデータを管理するソフト管理サーバ装置とを具備し、前記ＩＰ電話装置は、前記ＩＰ電話装置を識別するための識別情報及び前記ＩＰ電話装置に搭載のソフトウェアデータに関するソフトウェア情報を前記サーバ装置へ送信する送信手段と、前記サーバ装置から前記ソフトウェアデータの書き換えの要否に関する書き換え要否情報と新たに書き換えるソフトウェアデータに関する最適ソフトウェア情報とを含む応答メッセージを受信する受信手段と、前記書き換え要否情報が書き換えが必要であることを示す時には前記最適ソフトウェア情報に対応する最適ソフトウェアデータを前記ソフト管理サーバ装置からダウンロードして前記ＩＰ電話装置に搭載の前記ソフトウェアデータを前記最適ソフトウェアデータに書き換える書き換え手段と、を具備することを特徴とするＩＰ電話システム。
【請求項３】  複数のＩＰ電話装置と、前記ＩＰ電話装置を管理するサーバ装置と、前記ＩＰ電話装置において用いるソフトウェアデータを管理するソフト管理サーバ装置とを具備し、前記サーバ装置は、前記ＩＰ電話装置から前記ＩＰ電話装置を識別するための識別情報及び前記ＩＰ電話装置に搭載のソフトウェアに関するソフトウェア情報を受信する受信手段と、前記ＩＰ電話装置ごとの前記識別情報及び前記識別情報に対応した最適なソフトウェアを示す最適ソフトウェア情報を記憶する記憶手段と、前記受信したソフトウェア情報と前記最適ソフトウェア情報とを比較して書き換えの要否を判定し判定結果を生成する判定手段と、前記判定結果が書き換えが必要であることを示す時にこの書き換え要否情報と前記最適ソフトウェア情報とを含む応答メッセージを送信する送信手段と、を具備し、前記ＩＰ電話装置は、前記サーバ装置から受け取る前記応答メッセージを受信する受信手段と、前記最適ソフトウェア情報に対応する最適ソフトウェアデータが記憶されているソフト管理サーバ装置に前記識別情報及び前記最適ソフトウェア情報を送信する送信手段と、前記ソフト管理サーバ装置から前記最適ソフトウェアデータを受信する他の受信手段と、記憶手段に記憶されているソフトウェアデータを前記最適ソフトウェアデータに書き換える書き換え手段と、を具備し、前記ソフト管理サーバ装置は、前記ＩＰ電話装置から受け取る前記最適ソフトウェア情報に対応する前記最適ソフトウェアデータを前記ＩＰ電話装置に送信する送信手段を具備することを特徴とするＩＰ電話システム。
【請求項４】  自装置を識別するための識別情報及び自装置に搭載のソフトウェアデータに関するソフトウェア情報をサーバ装置へ送信する送信手段と、前記サーバ装置が前記ソフトウェアデータの書き換えが必要と判断した時に送信する最適ソフトウェアデータを受信する受信手段と、前記ソフトウェアデータを前記最適ソフトウェアデータに書き換える書き換え手段と、を具備することを特徴とするＩＰ電話装置。
【請求項５】  自装置を識別するための識別情報及び前記自装置に搭載のソフトウェアデータに関するソフトウェア情報をサーバ装置へ送信する送信手段と、前記サーバ装置から前記ソフトウェアデータの書き換えの要否に関する書き換え要否情報と新たに書き換えるソフトウェアデータに関する最適ソフトウェア情報とを含む応答メッセージを受信する受信手段と、前記書き換え要否情報が書き換えが必要であることを示す時には前記最適ソフトウェア情報に対応する最適ソフトウェアデータをソフト管理サーバ装置からダウンロードして前記ＩＰ電話装置に搭載の前記ソフトウェアデータを前記最適ソフトウェアデータに書き換える書き換え手段と、を具備することを特徴とするＩＰ電話装置。
【請求項６】  前記送信手段は、前記ＩＰ電話装置を識別するための識別情報及び前記ＩＰ電話装置に搭載のソフトウェアデータに関するソフトウェア情報を制御メッセージに含めて前記サーバ装置へ送信することを特徴とする請求項４又は請求項５に記載のＩＰ電話装置。
【請求項７】  前記送信手段は、電源投入時、電源投入後は所定の間隔で、又は、前記サーバ装置が記憶している前記ＩＰ電話装置ごとの各種情報を変更した時若しくは周期的に前記サーバ装置が送信する登録抹消要求の受信時に、前記識別情報及び前記ソフトウェア情報を前記サーバ装置に送信することを特徴とする請求項４から請求項６のいずれかに記載のＩＰ電話装置。
【請求項８】  ＩＰ電話装置から前記ＩＰ電話装置を識別するための識別情報及び前記ＩＰ電話装置に搭載のソフトウェアに関するソフトウェア情報を受信する受信手段と、前記ＩＰ電話装置ごとの前記識別情報及び前記識別情報に対応した最適なソフトウェアを示す最適ソフトウェア情報と前記最適ソフトウェア情報に対応する最適ソフトウェアデータとを記憶する記憶手段と、前記受信手段により受信したソフトウェア情報と前記記憶手段の最適ソフトウェア情報とを比較して書き換えの要否を判定し判定結果を生成する判定手段と、前記判定結果が書き換えが必要である場合に前記ＩＰ電話装置に前記最適ソフトウェアデータを送信する送信手段と、を具備することを特徴とするサーバ装置。
【請求項９】  ＩＰ電話装置から前記ＩＰ電話装置を識別するための識別情報及び前記ＩＰ電話装置に搭載のソフトウェアに関するソフトウェア情報を受信する受信手段と、前記ＩＰ電話装置ごとの前記識別情報及び前記識別情報に対応した最適なソフトウェアを示す最適ソフトウェア情報を記憶する記憶手段と、前記受信手段により受信したソフトウェア情報と前記記憶手段の最適ソフトウェア情報とを比較して書き換えの要否を判定し判定結果を生成する判定手段と、前記判定結果が書き換えが必要である場合に前記ＩＰ電話装置に前記書き換えの要否と前記最適ソフトウェア情報とを含む応答メッセージを送信する送信手段と、を具備することを特徴とするサーバ装置。
【請求項１０】  複数のＩＰ電話装置と、前記ＩＰ電話装置を管理するとともに前記ＩＰ電話装置において用いるソフトウェアデータを管理するサーバ装置とを具備するＩＰ電話システムにおけるＩＰ電話方法であって、前記ＩＰ電話装置が前記ＩＰ電話装置を識別するための識別情報及び前記ＩＰ電話装置に搭載のソフトウェアデータに関するソフトウェア情報を前記サーバ装置へ送信するステップと、前記サーバ装置が前記ソフトウェアデータの書き換えが必要と判断した時に送信する最適ソフトウェアデータを受信するステップと、前記ソフトウェアデータを前記最適ソフトウェアデータに書き換えるステップと、を具備することを特徴とするＩＰ電話方法。
【請求項１１】  複数のＩＰ電話装置と、前記ＩＰ電話装置を管理するサーバ装置と、前記ＩＰ電話装置において用いるソフトウェアデータを管理するソフト管理サーバ装置とを具備するＩＰ電話システムにおけるＩＰ電話方法であって、前記ＩＰ電話装置が前記ＩＰ電話装置を識別するための識別情報及び前記ＩＰ電話装置に搭載のソフトウェアデータに関するソフトウェア情報を前記サーバ装置へ送信するステップと、前記サーバ装置から前記ソフトウェアデータの書き換えの要否に関する書き換え要否情報と新たに書き換えるソフトウェアデータに関する最適ソフトウェア情報とを含む応答メッセージを受信するステップと、前記書き換え要否情報が書き換えが必要であることを示す時には、前記最適ソフトウェア情報に対応するソフトウェアデータを前記ソフト管理サーバ装置からダウンロードして前記ＩＰ電話装置に搭載の前記ソフトウェアデータを前記最適ソフトウェア情報に対応するソフトウェアデータに書き換えるステップと、を具備することを特徴とするＩＰ電話方法。
【手続補正２】
【補正対象書類名】明細書
【補正対象項目名】０００６
【補正方法】変更
【補正の内容】
【０００６】
【課題を解決するための手段】
本発明は、複数のＩＰ電話装置と、前記ＩＰ電話装置を管理するとともに前記ＩＰ電話装置において用いるソフトウェアデータを管理するサーバ装置とを具備し、前記ＩＰ電話装置は、前記ＩＰ電話装置を識別するための識別情報及び前記ＩＰ電話装置に搭載のソフトウェアデータに関するソフトウェア情報を前記サーバ装置へ送信する送信手段と、前記サーバ装置が前記ソフトウェアデータの書き換えが必要と判断した時に送信する最適ソフトウェアデータを受信する受信手段と、前記ソフトウェアデータを前記最適ソフトウェアデータに書き換える書き換え手段と、を具備することを特徴とするＩＰ電話システムである。